(57)【要約】【課題】  患者等の快適性を損なうことなく、患者等の頭部を高く支持する。【解決手段】  ベッドはマットレスを支持するマットレス支持手段を有し、マットレス支持手段は、枢支手段を介して底部フレームによって支持されている。枢支手段は、マットレスの幅方向に略水平に延びる軸を中心に、マットレス支持手段を支持し、マットレス支持手段には、軸に固定され、あるいいは軸を円滑回転自在に支持する連結部が設けられている。端部フレームには、マットレス支持手段を、水平状態および傾斜状態で回転を阻止する回転阻止手段が設けられている。【選択図】  図１
2005137533.tif 000002
【特許請求の範囲】
【請求項１】
マットレスを支持する略平面状のマットレス支持手段と、
前記マットレス支持部材を、前記マットレスの幅方向に延びる略水平な軸を中心に、回転自在に支持する枢支手段と、
前記マットレス支持手段を水平状態および傾斜状態で、回転を阻止するように支持する回転阻止手段と
を備えたベッド。
【発明の詳細な説明】
【技術分野】
【０００１】
本発明はベッドに係り、特に患者、身障者等が長時間連続使用するベッドに関する。
【背景技術】
【０００２】
従来、病院等で病人等が長時間使用するベッドは、一般に患者等を水平に支持するため、患者等は鼻詰りになることが多く、また脳圧が上昇するため、頭痛、頭重に悩まされるとともに、時としてクモ膜下出血を誘発する。
【発明の開示】
【発明が解決しようとする課題】
【０００３】
そこで、マットレスが屈曲することによって患者等の頭部を高く支持するベッドが開発されたが、この種のベッドは寝返りをうつことが極めて困難であり、別の意味で患者等に苦痛を強いることになった。
【０００４】
本発明はこのような従来の問題点を解消すべく創案されたもので、患者等の快適性を損なうことなく、患者等の頭部を高く保持し得るベッドを提供することを目的とする。
【課題を解決するための手段】
【０００５】
本発明に係るベッドは、マットレスを支持する略平面状のマットレス支持手段と、前記マットレス支持部材を、前記マットレスの幅方向に延びる略水平な軸を中心に、回転自在に支持する枢支手段と、前記マットレス支持手段を水平状態および傾斜状態で、回転を阻止するように支持する回転阻止手段とを備える。
これによって、マットレス全体を水平あるいは傾斜支持でき、患者等の頭部を高く支持でき、また寝返りをうつ等、通常のベッドと同様の快適性も保証される。
【発明の効果】
【０００６】
本発明によれば、患者等の快適性を損なうことなく、患者等の頭部を高く支持できる。
【発明を実施するための最良の形態】
【０００７】
次に本発明に係るベッドの好適な実施例を図面に基づいて説明する。
【実施例１】
【０００８】
図１は、本発明に係るベッドの実施例１を示す正面図、図２は、図１のベッドの回転阻止手段を示す斜視図、図１１は、図１のベッドの患者等支持状態を示す斜視図である。
図１において、ベッドはマットレス１００を支持するマットレス支持手段１２０を有し、マットレス支持手段１２０は、枢支手段１４０を介して底部フレーム１６０によって支持されている。底部フレーム１６０は、患者等（図示省略。）の頭部側および足部側の端部フレーム１８０、２００によって水平に支持されている。
【０００９】
枢支手段１４０は、マットレス１００の幅方向に略水平に延びる軸１４２を中心に、マットレス支持手段１２０を支持し、マットレス支持手段１２０には、軸１４２に固定され、あるいいは軸１４２を円滑回転自在に支持する連結部１２２が設けられている。
【００１０】
連結部１２２が軸１４２に固定されている場合には、軸１４２は、周知の軸受等を介して、枢支手段１４０によって円滑回転可能に支持されている。連結部１２２が軸１４２を円滑回転自在に支持する構成では、連結部１２２には軸１４２を支持する周知の軸受等が設けられる。
【００１１】
端部フレーム１８０あるいは２００には、マットレス支持手段１２０を、水平状態および傾斜状態で回転を阻止する回転阻止手段２２０が設けられている。
【００１２】
図２において、回転阻止手段２２０は、端部フレーム２００に固定された略上下方向に延びるガイド部材２４０と、締め込みねじ２６０、２８０とを備え、締め込みねじ２６０、２８０は、マットレス支持手段１２０から略水平に突設された係止部材１２４に挿通されつつ締めこまれて、係止部材１２４をガイド部材２４０に対して固定する。
【００１３】
ガイド部材１２４には、マットレス支持手段１２０が軸１４２を中心に回転したときの、締め込みねじ２６０、２８０の軌跡ＴＲ１に添ったガイド溝２４２が形成され、締め込みねじ２６０、２８０はガイド溝２４２に挿通されている。締め込みねじ２６０はその頭部がガイド部材２４０に当接し、締め込みねじ２８０はその頭部が係止部材１２４に当接し、これによって、係止部材１２４をガイド部材２４０に対して固定する。
【００１４】
締め込みねじ２６０、２８０を緩めると、締め込みねじ２６０、２８０はガイド溝２４２に沿って移動可能であり、締め込みねじ２６０、２８０を締めこめば、マットレス支持手段１２０の所定回転範囲の任意の位置で係止部材１２４を固定し得る。これによってマットレス支持手段１２０を所定回転範囲の任意の傾斜角度で固定でき、マットレス１００に所望の角度に傾斜し得る。
【００１５】
図１１に示すように、マットレス１００の傾斜に際して、マットレス支持手段１２０は、マットレス１００を屈曲することなく、全体が傾斜しているので、患者等Ｐは自由に寝返りをうつことができ、水平のベッドにおける快適性が損なわれない。
【実施例２】
【００１６】
図３は、本発明に係るベッドの実施例１を示す正面図、図４は、図３のベッドの回転阻止手段を示す斜視図である。図中、実施例１と同一若しくは相当部分には同一符号を付し、説明を省略する。
【００１７】
実施例２は、実施例１における回転阻止手段２２０に変更を加えたものである。
図３および図４において、回転阻止手段２２０は、底部フレーム１６０によって回転自在に支持されつつ上方に立ち上がる段階係合部材４００を有し、マットレス支持手段１２０には、段階係合部材４００に係合し得る係止部材１２４が突設されている。
【００１８】
段階係合部材４００は、底部フレーム１６０によって回転自在に支持されて、上部がマットレス１００長さ方向に揺動可能（軌跡ＴＲ２で示す。）な揺動バー４２０を有し、揺動バー４２０は回転軸４６０を介して、底部フレーム１６０によって支持されている。
【００１９】
揺動バー４２０のマットレス幅方向両面には、略水平に突出する複数の係合ピン４４０が上下方向に配列されている。
係止部材１２４には、水平方向に相対応して配置された係合ピン４４０、４４０に係合するフォーク状部１２６、１２６が形成され、フォーク状部１２６、１２６がいずれかの高さの係合ピン４４０、４４０に係合することによって、マットレス支持手段１２０は、所定回転範囲の任意の傾斜角度で固定される。
【００２０】
係合ピン４４０、４４０にフォーク状部１２６、１２６が係合した状態では、少なくともマットレス１００およびマットレス支持手段１２０の重量に起因した荷重が、係合ピン４４０、４４０とフォーク状部１２６、１２６との接触面に加わるので、両者の摩擦力により、係止部材１２４は段階係合部材４００から外れない。
【００２１】
なお、係止部材１２４が段階係合部材４００から外れることを防止するストッパ等、例えば段階係合部材４００の回転を阻止する手段や、係止部材１２４を段階係合部材４００に対して固定する手段を設けてもよい。
実施例２は、実施例１と同様の効果を奏する。
【実施例３】
【００２２】
図５は、本発明に係るベッドの実施例３を示す正面図、図８は、図５のベッドの駆動系を示すシーケンス回路である。図中、実施例１と同一若しくは相当部分には同一符号を付し、説明を省略する。
【００２３】
実施例３は、マットレス支持手段１２０を駆動系により傾斜させかつ固定するもので、駆動系を回転阻止手段６００に兼用する。
【００２４】
図５および図６において、駆動系は、連結部１２２あるいは軸１４２に固定されたウォームギヤ５００と、ウォームギヤ５００に噛合するウォーム５２０とを有し、ウォーム５２０はモータ５４０によって正逆回転駆動される。
【００２５】
ウォームギヤ５００は軸１４２と同軸とされ、マットレス支持手段１２０に、実施例１と同様の傾斜を与え得る。ウォームギヤ５００、ウォーム５２０のピッチは、ウォーム５２０がウォームギヤ５００の回転を阻止し得るように充分小さく設定され、これによって駆動系は回転阻止手段６００として機能する。
【００２６】
ウォームギヤ５００はモータ５４０によって回転駆動されるので、大きな負荷に抗してマットレス支持手段１２０を回転することができ、例えば患者等が載った状態のままで、傾斜角度を調節することが可能である。
【００２７】
モータ５４０はスイッチケース５６０に設けられたスイッチ（上昇・下降、停止）によって制御され、モータ５４０には電源ケーブル５８０から給電される。
【００２８】
図８において、スイッチケース５６０には上昇用スイッチＰＢ１、下降用スイッチＰＢ２、停止用スイッチＳＰが設けられ、上昇用スイッチＰＢ１、下降用スイッチＰＢ２を閉成すると、上昇用ソレノイドスイッチＵＰ、下降用ソレノイドスイッチＤＷがそれぞれ励磁される。
【００２９】
上昇用ソレノイドスイッチＵＰ、下降用ソレノイドスイッチＤＷはモータ５４０の上昇方向回転駆動回路、下降方向回転駆動回路（それぞれ図示省略）にそれぞれ給電し、これによってモータ５４０を上昇方向または下降方向に回転駆動する。
【００３０】
一方停止用スイッチＳＰを閉成すると、停止用ソレノイドが開放され、上昇用ソレノイドスイッチＵＰおよび下降用ソレノイドスイッチＤＷを消磁して、モータ５４０が停止する。
実施例３は、実施例１、２の効果に加え、マットレス支持手段１２０の傾斜の操作を容易に行い得る。
【実施例４】
【００３１】
図６は、本発明に係るベッドの実施例４を示す正面図である。図中、実施例１乃至３と同一若しくは相当部分には同一符号を付し、説明を省略する。
【００３２】
実施例４は実施例１に実施例３の駆動系を付加したものであり、実施例３と同様の駆動系によってマットレス支持手段１２０を水平状態あるいは所望の傾斜角度に回転し、回転阻止手段６００とともに手動の回転阻止手段２２０によってマットレス支持手段１２０を固定支持する。
【００３３】
ウォームギヤ５００、ウォーム５２０は通常隙間を持った噛み合いとなっており、回転阻止手段６００のみによる回転阻止ではマットレス支持手段１２０に若干の揺れが生じる可能性があるが、回転阻止手段２２０を併用すればこのような揺れを完全に解消し得る。
【実施例５】
【００３４】
図７は、本発明に係るベッドの実施例５を示す正面図である。図中、実施例１乃至４と同一若しくは相当部分には同一符号を付し、説明を省略する。
【００３５】
実施例５は実施例２に実施例３の駆動系を付加したものであり、実施例３と同様の駆動系によってマットレス支持手段１２０を水平状態あるいは所望の傾斜角度に回転し、回転阻止手段６００とともに手動の回転阻止手段２２０によってマットレス支持手段１２０を固定支持する。これによって実施例４と同様、回転阻止手段６００、２２０の併用による効果的な回転阻止が可能である。
【実施例６】
【００３６】
図９は、本発明に係るベッドの実施例３を示す正面図、図１０は、図９のベッドの駆動系を示すシーケンス回路である。図中、実施例１、３と同一若しくは相当部分には同一符号を付し、説明を省略する。
実施例６は、実施例３の駆動系に替えて、エアシリンダよりなる駆動系を採用する。
【００３７】
図９および図１０において、駆動系は、マットレス支持手段１２０の下方で床面に置かれたエアシリンダ７００を備え、マットレス支持手段１２０は、エアシリンダ７００によって上方に押され、あるいはエアシリンダ７００縮退時にマットレス１００およびマットレス支持手段１２０の自重で傾斜角度が調節される。マットレス１００およびマットレス支持手段１２０の自重がエアシリンダ７００に対する充分な負荷となるように、枢支手段  １４０はマットレス支持手段１２０の長さ方向（例えば端部フレーム１８０寄り）に偏って配置され、エアシリンダ７００は例えば端部フレーム２００寄りに配置される。
【００３８】
エアシリンダ７００はエアの出入りを停止すれば回転阻止手段６００として機能する。
エアシリンダ７００はスイッチケース５６０に設けられたスイッチ（上昇・下降、停止）によって制御され、エアシリンダ７００にはエアホース７２０からエアが供給される。
【００３９】
図１０において、スイッチケース５６０には上昇用スイッチＰＢ１、下降用スイッチＰＢ２、停止用スイッチＳＰが設けられ、上昇用スイッチＰＢ１、下降用スイッチＰＢ２を閉成すると、上昇用ソレノイドスイッチＵＰ、下降用ソレノイドスイッチＤＷがそれぞれ励磁される。
【００４０】
上昇用ソレノイドスイッチＵＰはエアシリンダ７００にエアを供給する電磁バルブＳＶ１を開き、下降用ソレノイドスイッチＤＷは、エアシリンダ７００からエアを排出する電磁バルブＳＶ２を開く。
【００４１】
一方停止用スイッチＳＰを閉成すると、停止用ソレノイドが開放され、上昇用ソレノイドスイッチＵＰおよび下降用ソレノイドスイッチＤＷを消磁して、電磁バルブＳＶ１、ＳＶ２を閉じる。
【００４２】
実施例６は、実施例３の効果に加え、エア配管を備えた施設では、動力用電源が不要であり、バッテリによってスイッチの制御を行うことも可能である。
さらに、エアシリンダ７００は床面に置くだけでマットレス支持手段１２０の傾斜操作に適用し得るので、傾斜操作要否に応じてエアシリンダ７００を導入し、あるいは取り除くことを可能にし得る。
【産業上の利用可能性】
【００４３】
本発明は患者等に適用するベッドのみならず、高齢者、身障者等、ベッドを長期間連続使用する任意の用途に適用し得る。
【図面の簡単な説明】
【００４４】
【図１】本発明に係るベッドの実施例１を示す正面図である。（実施例１）
【図２】図１のベッドの回転阻止手段を示す斜視図である。（実施例１）
【図３】本発明に係るベッドの実施例２を示す正面図である。（実施例２）
【図４】図３のベッドの回転阻止手段を示す斜視図である。（実施例２）
【図５】本発明に係るベッドの実施例３を示す正面図である。（実施例３）
【図６】本発明に係るベッドの実施例４を示す正面図である。（実施例４）
【図７】本発明に係るベッドの実施例５を示す正面図である。（実施例５）
【図８】図５のベッドの駆動系を示すシーケンス回路である。（実施例３）
【図９】本発明に係るベッドの実施例６を示す正面図である。（実施例６）
【図１０】図９のベッドの駆動系を示すシーケンス回路である。（実施例６）
【図１１】図１のベッドの患者等支持状態を示す斜視図である。（実施例１）
【符号の説明】
【００４５】
１００  マットレス
１２０  マットレス支持手段
１２２  連結部
１２４  係止部材
１２６  フォーク状部
１４０  枢支手段
１４２  軸
１６０  底部フレーム
１８０、２００  端部フレーム
２２０  回転阻止手段
４００  段階係合部材
４２０  揺動バー
４４０  係合ピン
４６０  回転軸
５００  ウォームギヤ
５２０  ウォーム
５４０  モータ
５６０  スイッチケース
５８０  電源ケーブル
【図１】
2005137533.tif 000003
【図２】
2005137533.tif 000004
【図３】
2005137533.tif 000005
【図４】
2005137533.tif 000006
【図５】
2005137533.tif 000007
【図６】
2005137533.tif 000008
【図７】
2005137533.tif 000009
【図８】
2005137533.tif 000010
【図９】
2005137533.tif 000011
【図１０】
2005137533.tif 000012
【図１１】
2005137533.tif 000013